(57)【要約】【課題】狭小地であっても、外観の美感を損ねることがなく、安価に目地施工を行うことが可能な目地部止水方法を提供。【解決手段】外壁パネルを複数枚連続して立設する外壁パネル立設工程Ｓ１と、シーリング材押さえ面を、建物の屋外側から目地を塞ぐように、障害壁との間で取り付けるシーリング材押さえ面取付工程Ｓ３と、シーリング材押さえ面取付工程Ｓ３の後に、建物の屋内側から目地にシーリング材を充填するシーリング材充填工程Ｓ４と、シーリング材充填工程Ｓ４の後であって且つシーリング材の硬化後に、シーリング材押さえ面を目地から取り外すシーリング材押さえ面除去工程Ｓ５と、を備える。【選択図】図８
2011007010.tif 000002
【特許請求の範囲】
【請求項１】
建物の外壁パネルの屋外側に隣接して障害壁が設けられる狭小地において前記外壁パネルを複数枚連続して立設したときに、隣接する前記外壁パネル間に形成される目地に対して前記建物の屋内側から防水処理を施すための狭小地における目地部止水方法であって、
前記外壁パネルを複数枚連続して立設する外壁パネル立設工程と、
前記目地の幅よりも幅広に形成されたシーリング材押さえ面を、少なくとも前記障害壁が隣接する範囲内において前記建物の屋外側から前記目地を塞ぐように、前記障害壁との間で取り付けるシーリング材押さえ面取付工程と、
該シーリング材押さえ面取付工程の後に、前記建物の屋内側から前記目地にシーリング材を充填するシーリング材充填工程と、
該シーリング材充填工程の後であって且つシーリング材の硬化後に、前記シーリング材押さえ面を前記目地から取り除くシーリング材押さえ面除去工程と、を備えたことを特徴とする狭小地における目地部止水方法。
【請求項２】
前記シーリング材押さえ面取付工程では、前記シーリング材押さえ面が前記目地を塞いだ状態で保持するように、前記シーリング材押さえ面を前記目地と前記障害壁との間で支持固定する支持固定状態に設定し、
前記シーリング材押さえ面除去工程では、前記支持固定状態を解除する固定解除状態に設定することを特徴とする請求項１に記載の狭小地における目地部止水方法。
【請求項３】
前記シーリング材押さえ面取付工程の前に、前記シーリング材押さえ面の少なくとも前記目地を塞ぐ位置にボンドブレーカを配設するボンドブレーカ配設工程を行うことを特徴とする請求項１又は２に記載の狭小地における目地部止水方法。
【発明の詳細な説明】
【技術分野】
【０００１】
本発明は、外壁パネルの目地部止水方法に係り、特に狭小地であっても好適に目地施工を行うことが可能な狭小地における目地部止水方法に関する。
【背景技術】
【０００２】
従来から、住宅等の建物を建設するにあたっては、現場での施工作業の簡略化及び品質の均一化を図るためにパネル工法の導入が進められている。パネル工法による建物の外壁は、複数の外壁パネルを所定位置に隣接して立設することにより形成される。そして、このように形成された外壁は、隣接する各外壁パネル間の目地に防水処理を施す必要がある。
一般に、目地の防水処理技術としては、建物の屋外側から軟粘性のシーリング材を充填する方法が知られている。このような技術によれば、仕上がりの見栄えが綺麗で且つ安価に防水処理を施すことが可能である。
【０００３】
この防水処理技術では、先ず、目地内に、発泡ウレタンゴム等で形成されたバックアップ材を建物の屋外側から所定位置まで圧入し、次に、シーリング材を建物の屋外側から充填し、最後に、シーリング材の表面をへら等の治具を用いて処理するものである。
【０００４】
上記のような防水処理を行うためには、外壁パネルの屋外側に、少なくとも作業者が上記作業を行うことが可能な作業空間を確保する必要がある。しかし、例えば、建物同士の立地間隔が狭く、外壁パネルの屋外側の近くに、隣地建物の外壁等の障害物（以下、障害壁という）が配置されるいわゆる狭小地においては、このような作業空間を確保することが困難な場合があり、上記従来の防水処理技術では、建物の屋外側から目地処理を行うことができない場合があった。
【０００５】
そこで、狭小地においても防水処理を行うことが可能な技術として、例えば、建物の屋内側から目地に断面コ字形状の下地金物を挿入して防水処理を施す技術（特許文献１参照）が提案されている。
【先行技術文献】
【特許文献】
【０００６】
【特許文献１】特開２００５−２９０７８５号公報
【発明の概要】
【発明が解決しようとする課題】
【０００７】
しかしながら、特許文献１の防水処理技術では、防水処理を施すための部材が、外壁パネルの屋外側に露出する構成であるため、軟粘性のシーリング材を用いて防水処理を行った場合と比較して、見栄えが悪く、建物の外観上の美感を損ねる可能性がある。
また、上記防水処理技術では、防水処理を施す度に、予め成形した部材を用いる必要があるため、従来の軟粘性のシーリング材のみを用いた防水処理技術と比較して高価なものになるという問題がある。
【０００８】
本発明は、上記不都合を解決するためになされたものであり、その目的は、狭小地であっても、外観の美感を損ねることがなく、安価に目地施工を行うことが可能な目地部止水方法を提供することにある。
【課題を解決するための手段】
【０００９】
前記課題は、本発明の狭小地における目地部止水方法によれば、建物の外壁パネルの屋外側に隣接して障害壁が設けられる狭小地において外壁パネルを複数枚連続して立設したときに、隣接する外壁パネル間に形成される目地に対して建物の屋内側から防水処理を施すための狭小地における目地部止水方法であって、外壁パネルを複数枚連続して立設する外壁パネル立設工程と、目地の幅よりも幅広に形成されたシーリング材押さえ面を、少なくとも障害壁が隣接する範囲内において建物の屋外側から目地を塞ぐように、障害壁との間で取り付けるシーリング材押さえ面取付工程と、シーリング材押さえ面取付工程の後に、建物の屋内側から目地にシーリング材を充填するシーリング材充填工程と、シーリング材充填工程の後であって且つシーリング材の硬化後に、シーリング材押さえ面を前記目地から取り除くシーリング材押さえ面除去工程と、を備えることにより解決される。
【００１０】
ここで、「障害壁」とは、外壁パネルの建物の屋外側から所定距離離間した障害物であって、建物の屋外側から目地施工を行う際に、その作業空間を狭めて、当該目地施工を極めて困難なものとするありとあらゆる障害物を意味し、「障害壁」には、外壁等の壁状の物だけでなく、目地施工を行う際に、障害となりうる他の形状の物が含まれる。
【００１１】
上記構成では、広い作業空間を要するシーリング材の充填作業を建物の屋内側から行うことが可能である。
また、建物の屋外側で行う作業は、上記のようにシーリング材押さえ面取付工程、及びシーリング材押さえ面除去工程のみである。すなわち、シーリング材押さえ面取付工程では、外壁パネルと障害壁との間で、シーリング材押さえ面を目地に対して取り付ければよいため、外壁パネルの屋外側に、シーリング材押さえ面を目地に取り付けることが可能な空間さえ確保されていれば、十分に行うことが可能である。また、シーリング材押さえ面除去工程では、単に、シーリング材押さえ面を目地から取り除けばよいものである。
従って、建物の屋外側に広い作業空間を確保する必要がなく、極めて狭い作業空間においても、目地施工を容易且つ十分に行うことができる。
【００１２】
また、本発明に係る狭小地における目地部止水方法では、従来と同様に軟粘性のシーリング材を用いて目地施工を行うため、仕上がりの見栄えが綺麗である。
さらに、シーリング材押さえ面は、目地施工後に目地から取り外して、再度使用することができるため、安価に目地施工を行うことができる。
【００１３】
従って、本発明に係る狭小地における目地部止水方法よれば、狭小地であっても、容易に目地施工を行うことができ、且つ、従来と同様に、軟粘性のシーリング材を用いて目地施工を行うことが可能なため、仕上がりの見栄えが綺麗で且つ安価に目地施工を行うことができる。
【００１４】
また、シーリング材押さえ面取付工程では、シーリング材押さえ面が目地を塞いだ状態で保持するように、シーリング材押さえ面を目地と障害壁との間で支持固定する支持固定状態に設定し、シーリング材押さえ面除去工程では、支持固定状態を解除する固定解除状態に設定すると好適である。
【００１５】
このように構成すれば、シーリング材押さえ面が、障害壁から支持されて、目地を押圧した状態で固定されるため、容易にシーリング材押さえ面が目地から離脱することがない。従って、シーリング材押さえ面を目地に対して確実に取り付けることが可能なため、例えば、シーリング材充填工程において、シーリング材を目地に充填している最中に、シーリング材押さえ面が目地から離脱してしまう等の弊害を防止することができる。
【００１６】
さらに、シーリング材押さえ面取付工程の前に、シーリング材押さえ面の少なくとも目地を塞ぐ位置にボンドブレーカを配設するボンドブレーカ配設工程を行うと好適である。
【００１７】
このように構成すれば、建物の屋内側から充填されたシーリング材が、シーリング材押さえ面に接着することがなくなるため、上記シーリング材押さえ面除去工程において、シーリング材押さえ治具を目地から取り外す際に、シーリング材押さえ面をシーリング材から容易且つ綺麗に引き剥がすことができ、シーリング材の表面にヒゲ状のバリ等が生ずることがない。従って、シーリング材の表面の美観性を損なうことなく、シーリング材押さえ治具を目地から容易に取り外すことができる。
【発明の効果】
【００１８】
以上のように、本発明に係る狭小地における目地部止水方法によれば、狭小地であっても、容易に目地施工を行うことができると共に、従来と同様に、軟粘性のシーリング材を用いて目地施工することが可能なため、仕上がりの見栄えが綺麗で且つ安価に目地施工を行うことができる。
【図面の簡単な説明】
【００１９】
【図１】本発明の実施形態に係る外壁パネルが複数枚立設された状態を示す斜視図である。
【図２】図１の要部拡大斜視図である。
【図３】外壁パネルの要部拡大断面図である。
【図４】図３のパネルフレーム間に柱材が圧入された状態を示す図である。
【図５】本発明に係る狭小地における目地部止水方法において使用されるシーリング材押さえ治具の使用状態を示す斜視図である。
【図６】図５の要部拡大断面図である。
【図７】シーリング材押さえ治具の使用状態を示す斜視図である。
【図８】狭小地における目地部止水方法の施工フローを示す図である。
【発明を実施するための形態】
【実施例】
【００２０】
以下、本発明の一実施形態について、図を参照して説明する。なお、以下に説明する部材、配置等は、本発明を限定するものではなく、本発明の趣旨に沿って各種改変することができることは勿論である。
図は、本発明の実施形態を示すものであり、図１乃至図８は、本発明に係る狭小地における目地部止水方法を説明するものである。図１は本発明の実施形態に係る外壁パネルが複数枚立設された状態を示す斜視図、図２は図１の要部拡大斜視図、図３は外壁パネルの要部拡大断面図、図４は図３のパネルフレーム間に柱材が圧入された状態を示す図、図５は、本発明に係る狭小地における目地部止水方法において使用されるシーリング材押さえ治具の使用状態を示す斜視図、図６は図５の要部拡大断面図、図７はシーリング材押さえ治具の使用状態を示す斜視図、図８は狭小地における目地部止水方法の施工フローを示す図である。
【００２１】
図１乃至図３に示すように、本実施形態に係る外壁パネル１０は、建物１の外壁を構成するものであり、面材１１と、パネルフレーム１２とを備えている。面材１１は、外壁材１１ａと、下地材１１ｂとを備えている。
【００２２】
外壁材１１ａは、例えば、セラミック系の外壁材や耐水合板により形成されており、その建物１の屋内側の内面には、下地材１１ｂが、ビスや接着剤等により固定されている。
【００２３】
下地材１１ｂは、例えば、合板により形成されており、その建物１の屋内側の内面には、パネルフレーム１２が、外壁パネル１０を立設した状態で、その長手方向を略鉛直方向となるように、ビス等により固定されている。
【００２４】
パネルフレーム１２は、断面略コ字状に形成されており、金属製の長尺部材を溶接等して矩形に枠組みすることにより形成されている。なお、枠組みされたパネルフレーム１２により囲まれる空間には、例えば、グラスウールや発泡ウレタンからなる断熱材が充填されている。
【００２５】
外壁パネル１０は、パネルフレーム１２を土台２に固着されたランナー（図時省略）に載置し、パネルフレーム１２と土台２に固着されたランナーとをボルト締め等することにより、土台２に対して固着される。
【００２６】
また、外壁パネル１０は、梁部材３をパネルフレーム１２に載置した状態で、パネルフレーム１２の所定位置に形成されたボルト挿通孔１２ａ、及び梁部材３の所定位置に形成されたボルト挿通孔３ａのそれぞれにボルト（図時省略）を挿通し、ナット（図示省略）を蝶合してボルトまたはナットを締め込むことにより、梁部材３に対して締結固定される。
【００２７】
図４に示すように、本発明に係る狭小地における目地部止水方法では、外壁パネル１０を、土台２及び梁部材３に対して固定または仮固定した状態で複数枚連続して立設した後に、隣接する外壁パネル１０のパネルフレーム１２間に外壁パネル１０を支持する柱部材４が圧入される。
外壁パネル１０は、圧入された柱部材４とパネルフレーム１２とをボルト締め等することにより、柱部材４に対して固定される。また、この圧入された柱部材４は、ボルト締め等することにより、土台２及び梁部材３に対して固定される。
【００２８】
次に、本発明に係る狭小地における目地部止水方法において使用されるシーリング材押さえ治具について、図５乃至図７を参照して説明する。
【００２９】
図５及び図６に示すように、シーリング材押さえ治具２０は、本体部２１と、固定部材２６と、を備えている。
本体部２１は、断面略半円状に形成されるシーリング材押さえ部２２と、固定部材２６を回動自在に支持する支持部２３と、を備えている。これらシーリング材押さえ部２２及び支持部２３は、例えば、鉄やステンレス等の金属や合成樹脂により一体的に形成されている。
【００３０】
シーリング材押さえ部２２は、隣接する外壁パネル１０の端部間に形成される目地Ｍの幅よりも幅広に形成されたシーリング材押さえ面２２ａを有する。シーリング材押さえ面２２ａは、目地Ｍを建物１の屋外側から塞ぐことが可能であり、目地Ｍを塞ぐ部位が少なくとも断面略円弧形状に形成されている。
【００３１】
支持部２３は、シーリング材押さえ面２２ａが建物１の屋外側から目地を塞いだ状態で、シーリング材押さえ部２２の建物１の屋外方向側の面から外方へ突出して複数設けられている。
【００３２】
固定部材２６は、ロッド部材２７と、固定部２８とを備えている。
ロッド部材２７は、略棒状に形成され、一端部２７ａと、他端部２７ｂとを備えている。これら一端部２７ａ及び他端部２７ｂは、例えば、鉄やステンレス等の金属により一体的に形成されている。
【００３３】
一端部２７ａは、本体部２１の支持部２３に回動自在に対して軸支されている。
他端部２７ｂは、その外周に雄ネジ部が形成されており、後述する固定部２８の長ナット部材２８ａと螺合される。
【００３４】
固定部２８は、ロッド部材２７に形成される雄ネジ部と螺合可能な雌ネジ部（図示省略）を有する長ナット部材２８ａと、長ナット部材２８ａの建物１の屋外方向側の端部に固定される障害壁固定部材２８ｂと、を備えている。障害壁固定部材２８ｂは、例えば、合成樹脂により形成されている。
【００３５】
次に、シーリング材押さえ治具２０の外壁パネルへの取付方法及びその取外方法について説明する。
シーリング材押さえ治具２０の外壁パネル１０への取り付けは、先ず、シーリング材押さえ面２２ａが建物１の屋外側から目地Ｍを塞いだ状態で、固定部材２６が外壁パネル１０と障害壁Ｈとの間で緊張固定されるように、予め長ナット部材２８ａを所定方向に回転して固定部材２６の長さを調節する。
【００３６】
次に、シーリング材押さえ治具２０を、シーリング材押さえ面２２ａが目地Ｍを塞ぐように手で押し当てた状態で、固定部材２６を、例えば、棒状の治具を用いて上方または下方へ回動させて、外壁パネル１０と障害壁Ｈとの間で緊張固定する。これにより、シーリング材押さえ治具２０が、建物１の屋外側から目地Ｍを塞いだ状態で、外壁パネル１０に対して固定される。
【００３７】
シーリング材押さえ治具２０の外壁パネル１０からの取り外しは、外壁パネル１０と障害壁Ｈとの間で緊張固定された固定部材２６を、例えば、棒状の治具により上方または下方から押圧する。これにより、固定部材２６の緊張固定状態が解除され、シーリング材押さえ治具２０を、外壁パネル１０から取り外すことができる。
【００３８】
シーリング材押さえ治具２０は、このような構成を有するため、例えば、複数の障害壁固定部材２８ｂのそれぞれを、支持部２３が配設される間隔と略同間隔となるように、紐３０で結束して、紐３０を上方または下方へ引っ張ることにより、固定部材２６を緊張固定または固定解除させることも可能である。
このように構成すれば、紐３０を上方または下方へ引っ張ることにより、複数の固定部材２６が紐３０の移動に連動して、上方または下方へ回動するため、複数の固定部材２６を、同時に外壁パネル１０と障害壁Ｈとの間で緊張固定または固定解除することができる。
【００３９】
シーリング材押さえ治具２０の外壁パネルへの取り付け及びその取り外しについて、図７を用いて具体的に説明する。
図７に示すように、外壁パネル１０の建物１の屋外方向の近くには、地面から高さ約１ｍの障害壁Ｈが立設され、その上方には、作業空間Ｓが形成されている。
シーリング材押さえ治具２０の外壁パネル１０への取り付けは、先ず、固定部材２６を、予め水平方向よりも下の位置となるように回動させておく。
【００４０】
次に、障害壁Ｈの上方に形成される作業空間Ｓから、シーリング材押さえ治具２０を外壁パネル１０と障害壁Ｈとの間に挿入して、建物１の屋外側からシーリング材押さえ面２２ａが目地Ｍを塞ぐように、シーリング材押さえ治具２０を外壁パネル１０に手で押し当てる。
この状態で、複数の固定部材２６のそれぞれに結束された紐３０を上方へ引っ張りあげる。これにより、複数の固定部材２６が紐３０の上方の移動に連動して、上方へ回動するため、複数の固定部材２６を、同時に外壁パネル１０と障害壁Ｈとの間で緊張固定することができる
【００４１】
このように取り付けられたシーリング材押さえ治具２０の外壁パネル１０からの取り外しは、建物１の屋内側からシーリング材３２を充填した後であって、このシーリング材３２が硬化した後に、作業空間Ｓから外壁パネル１０と障害壁Ｈとの間に棒状の治具等を挿入して、複数の固定部材２６のそれぞれを下方へ回動させるように上方から押圧する。これにより、固定部材２６の緊張固定状態が解除されて、シーリング材押さえ治具２０を取り外すことができる。
【００４２】
次に、本実施形態に係る狭小地における目地部止水方法を図１乃至図６、及び図８を参照して説明する。
図８に示すように、本実施形態に係る狭小地における目地部止水方法は、外壁パネル立設工程Ｓ1と、ボンドブレーカ配設工程Ｓ２と、シーリング材押さえ面取付工程Ｓ３と、シーリング材充填工程Ｓ４と、シーリング材押さえ面除去工程Ｓ５と、を備えている。
【００４３】
図１乃至図３、及び図８に示すように、外壁パネル立設工程Ｓ１では、外壁パネル１０を、土台２に固着されたランナー上に複数枚連続して立設した状態で、梁部材３を、外壁パネル１０の上方から取り付ける。
図２に示すように、複数枚の外壁パネル１０が、土台2のランナー及び梁部材３に連続するように立設された状態では、隣接される外壁パネル１０の端部間には、目地Ｍが形成される。
【００４４】
図８に示すように、外壁パネル立設工程Ｓ１の後に、ボンドブレーカ配設工程Ｓ２が実施される。
図５及び図６に示すように、ボンドブレーカ配設工程Ｓ２では、シーリング材押さえ治具２０のシーリング材押さえ面２２ａにボンドブレーカ３１が配設される。
【００４５】
ボンドブレーカ３１は、例えば、ポリエチレンフィルム等からなるテープ状の部材であり、後述するシーリング材３２がシーリング材押さえ面２２ａに接着しないようにするものである。
【００４６】
このように、ボンドブレーカ３１をシーリング材押さえ面２２ａに配設することにより、シーリング材押さえ面除去工程Ｓ５において、シーリング材押さえ面２２ａがシーリング材３２に接着されることなく、シーリング材押さえ治具２０を外壁パネル１０から綺麗且つ容易に取り外すことができる。
また、本実施形態に係る目地部止水方法では、シーリング材３２が、後述するシーリング材押さえ面除去工程Ｓ５において、シーリング材押さえ治具２０が目地Ｍから取り外される。すなわち、当該工法では、シーリング材３２が、目地Ｍの側面部にのみ接着されることになるため、いわゆる二面接着状態とすることができる。従って、当該工法では、いわゆる三面接着状態となることがないため、三面接着時での問題点であるシーリング材３２に亀裂が生じてしまう等の不都合が生じることがない。
【００４７】
なお、本実施形態では、ボンドブレーカ配設工程Ｓ２を、外壁パネル立設工程Ｓ１の後に実施したが、ボンドブレーカ配設工程Ｓ２は、次のシーリング材押さえ面取付工程Ｓ３の前に行っていればよい工程であるため、この工程を、外壁パネル立設工程Ｓ１の前に行ってもよいことはいうまでもない。
【００４８】
図８に示すように、ボンドブレーカ配設工程Ｓ２の後に、シーリング材押さえ面取付工程Ｓ３が実施される。
図５及び図６に示すように、シーリング材押さえ面取付工程Ｓ３では、建物１の屋外側からシーリング材押さえ面２２ａが目地Ｍを塞いだ状態で、固定部材２６を、棒状の治具等を用いて、外壁パネル１０と障害壁Ｈとの間で緊張固定状態にする。これにより、シーリング材押さえ治具２０が、外壁パネル１０に対して固定される。
【００４９】
図８に示すように、シーリング材押さえ面取付工程Ｓ３の後に、シーリング材充填工程Ｓ４が実施される。シーリング材３２は、例えば、エチレン・プロピレン・ターポリマー（ＥＰＴ）の素材からなるものである。
図５及び図６に示すように、建物１の屋内側から目地Ｍにシーリング材３２を充填する。この際、建物１の屋内側からへら等の治具を用いて、シーリング材３２の表面を整形する。
【００５０】
図８に示すように、シーリング材充填工程Ｓ４の後であって且つシーリング材３２の硬化後に、シーリング材押さえ面除去工程Ｓ５を実施する。
図５及び図6に示すように、シーリング材押さえ面除去工程Ｓ５では、先ず、棒状の治具等により、固定部材２６を下方または上方へ回動させて、固定部材２６の緊張固定状態を解除する固定解除状態にする。次に、シーリング材押さえ治具２０を、前記外壁パネル１０から取り外す。このようにして、狭小地における目地施工が終了する。
【００５１】
狭小地における目地施工が完了した後に、隣接する外壁パネル１０のパネルフレーム１２間に外壁パネル１０を支持する柱部材４が圧入される。外壁パネル１０は、パネルフレーム２と柱部材４とをボルト締め等することにより、柱部材４に支持される。
【００５２】
以上のように、本実施形態に係る狭小地における目地部止水方法は、外壁パネル１０を複数枚連続して立設する外壁パネル立設工程Ｓ１と、目地Ｍの幅よりも幅広に形成されたシーリング材押さえ面２２ａを、障害壁Ｈが隣接する範囲内において建物１の屋外側から目地Ｍを塞ぐように、障害壁Ｈとの間で取り付けるシーリング材押さえ面取付工程Ｓ２と、目地Ｍの幅よりも幅広に形成されたシーリング材押さえ面２２ａを有するシーリング材押さえ治具２０を、建物１の屋外側からシーリング材押さえ面２２ａが目地を塞いだ状態で、障害壁Ｈとの間で支持固定するシーリング材押さえ面取付工程Ｓ３と、シーリング材押さえ面取付工程Ｓ３の後に、建物１の屋内側から目地Ｍにシーリング材３２を充填するシーリング材充填工程Ｓ４と、シーリング材充填工程Ｓ４の後であって且つシーリング材３２の硬化後に、シーリング材押さえ面２２ａを目地Ｍから取り除くシーリング材押さえ面除去工程Ｓ５と、を備える。
【００５３】
上記目地部止水方法では、広い作業空間を要するシーリング材３２の充填作業は、建物１の屋内側から行うことが可能である。
また、建物１の屋外側で行う作業は、上記のようにシーリング材押さえ面取付工程Ｓ３、及びシーリング材押さえ面除去工程Ｓ５のみである。すなわち、シーリング材押さえ面取付工程Ｓ３では、外壁パネル１０と障害壁Ｈとの間で、シーリング材押さえ面２２ａを目地Ｍに対して取り付ければよいため、外壁パネル１０の屋外側に、シーリング材押さえ面２２ａを目地Ｍに取り付けることが可能な空間さえ確保されていれば、十分に行うことが可能である。また、シーリング材押さえ面除去工程Ｓ５では、単に、シーリング材押さえ面２２ａを目地Ｍから取り除けばよいものである。
従って、建物１の屋外側に広い作業空間を確保する必要がなく、極めて狭い作業空間においても、目地施工を容易且つ十分に行うことができる。
【００５４】
また、本実施形態に係る目地部止水方法では、従来と同様に軟粘性のシーリング材３２を用いて目地施工を行うため、仕上がりの見栄えが綺麗である。
さらに、シーリング材押さえ面２２ａは、目地施工後に目地Ｍから取り外して、再度使用することができるため、安価に目地施工を行うことができる。
【００５５】
従って、本実施形態に係る狭小地における目地部止水方法よれば、狭小地であっても、容易に目地施工を行うことができ、且つ、従来と同様に、軟粘性のシーリング材３２を用いて目地施工を行うことが可能なため、仕上がりの見栄えが綺麗で且つ安価に目地施工を行うことができる。
【００５６】
また、本実施形態に係る狭小地における目地部止水方法では、シーリング材押さえ面取付工程Ｓ３において、シーリング材押さえ面２２ａが目地Ｍを塞いだ状態で保持可能なように障害壁Ｈから支持して、シーリング材押さえ面２２ａを目地Ｍに押圧固定する押圧固定状態に設定し、シーリング材押さえ面除去工程Ｓ５では、前記押圧固定状態を解除する固定解除状態に設定している。
【００５７】
すなわち、シーリング材押さえ面２２ａが、障害壁Ｈから支持されて、目地Ｍを押圧した状態で固定されるため、容易にシーリング材押さえ面２２ａが目地Ｍから離脱することがない。従って、シーリング材押さえ面２２ａを目地Ｍに対して確実に取り付けることが可能なため、例えば、シーリング材充填工程Ｓ４において、シーリング材３２を目地に充填している最中に、シーリング材押さえ面２２ａが目地Ｍから離脱してしまう等の弊害を防止することができる。
【００５８】
さらに、本実施形態では、シーリング材押さえ面取付工程Ｓ３の前に、シーリング材押さえ面２２ａの表面にボンドブレーカ３１を配設するボンドブレーカ配設工程Ｓ２が行われる。すなわち、建物１の屋内側から充填されたシーリング材３２が、シーリング材押さえ面３２ａに接着することがなくなるため、上記シーリング材押さえ面除去工程Ｓ５において、シーリング材押さえ治具２０を目地Ｍから取り外す際に、シーリング材押さえ面２２ａをシーリング材３２から容易且つ綺麗に引き剥がすことができ、シーリング材３２の表面にヒゲ状のバリ等が生ずることがない。従って、シーリング材３２の表面の美観性を損なうことなく、シーリング材押さえ治具２０を目地から容易に取り外すことができる。
【００５９】
なお、本実施形態に係る狭小地における目地部止水方法では、固定部材２６を障害壁Ｈとの間で緊張固定することにより、シーリング材押さえ面２２ａを目地Ｍに対して取り付けたが、これに限られず、シーリング押さえ面を有する部材を、例えば、未舗装の地面に差し込むことにより、シーリング材押さえ面を目地に対して取り付けてもよい。
【００６０】
また、本実施形態に係る目地部止水方法では、外壁パネル立設工程Ｓ１から開始したが、外壁パネル１０の目地Ｍが形成される面材１１の端縁部に、マスキングテープを貼着する工程、及び外壁パネル１０のシーリング材３２と接する面にプライマーを塗布する工程のそれぞれを行った後に、外壁パネル立設工程Ｓ１を行うことも可能である。このような目地施工を行えば、シーリング材３２の充填後の仕上がりを、より綺麗なものとすることができる。
【００６１】
上記マスキングテープを貼着する工程では、シーリング材３２の充填後に、貼着したマスキングテープを一の場所から容易に除去できるように、マスキングテープをいわゆる一筆書き状に貼着することが好ましい。このようにすれば、狭小地であっても、マスキングテープを外壁パネル１０から確実に除去することができる。
【００６２】
本実施形態では、固定部材２６に設けられた長ナット部材２８ａを所定方向に回転させることにより、固定部材２６の長さを調整してシーリング材押さえ治具２０を目地Ｍに固定したが、これに限られず、固定部材を伸縮可能なように、例えば、固定部材の短縮方向に付勢力が付与されたバネ等の弾性部材を固定部材に設けることにより、シーリング材押さえ治具２０を目地Ｍに固定してもよい。
【００６３】
また、本実施形態では、固定部材２６をシーリング材押さえ治具２０に設けたが、これらを別体で設けることも可能である。
【産業上の利用可能性】
【００６４】
本発明によれば、狭小地であっても、容易に目地施工を行うことができると共に、従来と同様に、軟粘性のシーリング材を用いて目地施工を行うことが可能なため、仕上がりの見栄えが綺麗で且つ安価に目地施工を行うことができる。
【符号の説明】
【００６５】
１  建物
１０  外壁パネル
２０  シーリング材押さえ治具
２２  シーリング材押さえ部
２２ａ  シーリング材押さえ面
２６  固定部材
３１  ボンドブレーカ
３２  シーリング材
Ｍ  目地
Ｈ  障害壁
Ｓ１  外壁パネル立設工程
Ｓ２  ボンドブレーカ配設工程
Ｓ３  シーリング材押さえ面取付工程
Ｓ４  シーリング材充填工程
Ｓ５  シーリング材押さえ面除去工程
【図１】
2011007010.tif 000003
【図２】
2011007010.tif 000004
【図３】
2011007010.tif 000005
【図４】
2011007010.tif 000006
【図５】
2011007010.tif 000007
【図６】
2011007010.tif 000008
【図７】
2011007010.tif 000009
【図８】
2011007010.tif 000010